(57)【要約】【課題】載置される各種宝飾品、室内装飾のためのガラス花器などに、立体的な美的演出効果をもたらす装飾体照明器具およびそれを用いた装飾体照明装置を提供する。【解決方法】上方を照明する上ＬＥＤ照明部材４と、下方を照明する下ＬＥＤ照明部材５と、を連結部材６を介して背中あわせに上下に積層した装飾体照明器具３。前記装飾体照明器具は、上面に載置した装飾体の荷重によりＬＥＤ発光部７の発光の点滅を制御することを特徴とする。また、前記連結部材６の下面に前記下ＬＥＤ照明部材の点滅制御ボタンの頭部を挿入する凹部が設けられ、前記連結部材の上面には前記上ＬＥＤ照明部材の点滅制御ボタンの頭部を挿入する凹部が設けられていることを特徴とする。さらに、前記下ＬＥＤ照明部材５の光源がブラックライトであることを特徴とする装飾体照明装置。【選択図】  図１
2006244881.tif 000002
【特許請求の範囲】
【請求項１】
上方を照明する上ＬＥＤ照明部材４と、
下方を照明する下ＬＥＤ照明部材５と、を
連結部材６を介して背中あわせに上下に積層した装飾体照明器具。
【請求項２】
前記装飾体照明器具は、上面に載置した装飾体の荷重によりＬＥＤ発光部７の発光の点滅を制御することを特徴とする請求項１記載の装飾体照明器具。
【請求項３】
前記連結部材６の下面に前記下ＬＥＤ照明部材の点滅制御ボタンの頭部を挿入する凹部が設けられ、前記連結部材の上面には前記上ＬＥＤ照明部材の点滅制御ボタンの頭部を挿入する凹部が設けられていることを特徴とする請求項１又は２記載の装飾体照明器具。
【請求項４】
前記下ＬＥＤ照明部材の光源が、紫光源又はブラックライトであることを特徴とする請求項１〜３の何れかに記載の装飾体照明器具。
【請求項５】
請求項１〜４のいずれかに記載の装飾体照明器具の下方に透明ボックスを設置し、
前記透明ボックスの上方から透明ボックス内部を照明するようにした装飾体照明装置。
【発明の詳細な説明】
【技術分野】
【０００１】
本発明は、照明付き装飾装置およびそれを用いた装飾体照明装置に関し、
詳しくは、上下方向に照明効果を付与する装飾装置および装飾体照明装置に関する。例えば、各種陳列宝飾商品や室内装飾品に対する照明装置、結婚披露宴や各種パーティなどにおいて、テーブル上に設置されたガラス花器などの装飾品に対して照明効果を付与する装飾装置に関する。
【背景技術】
【０００２】
陳列宝飾商品や室内装飾品に対する照明装置、結婚披露宴や各種パーティなどにおいて、テーブル上に設置されたガラス花器などの装飾品に対して照明効果を付与し、美的演出効果を上げる各種の装飾装置が使用されている。
例えば、特開平１０−１７２３１６号公報（特許文献１）には、電照式花台として載置された生け花の近くで光ファイバを点灯させて、その花台に盛られた生け花をライトアップさせる局所照明装置および電照式花台が提案されている。そして、パーティ会場が暗くなっても、その光ファイバの光でテーブルに置かれた生け花を照らして、そのテーブルを飾る生け花の美的演出効果を高めることが出来ることが記載されている。
【０００３】
また、花台としての演出効果を目的としたものではないが、ＬＥＤ発光を利用して飲物用グラス類を敷くのに好適なコースターとして特開平８−８４６５１号公報（特許文献２）には、コースター内に電池、ＬＥＤを内蔵しその上面に飲物用グラスを置いた場合、グラスの重みにより電源が入り、載置したグラスの底面からＬＥＤ照明をして、グラスが飲物の色と相俟って独特の発光色を呈するコースターが提案されている。
【０００４】
【特許文献１】特開平１０−１７２３１６号公報
【特許文献２】特開平８−８４６５１号公報
【発明の開示】
【発明が解決しようとする課題】
【０００５】
しかし、前記特許文献１においては、光ファイバにより生け花のライトアップという効果はあるものの、その効果は光ファイバによる局所照明、あるいは、ファイバ自体の光輝な曲線的な発光による意匠感を主とするものである。
【０００６】
また、特許文献２では、コースター上に直接載置された飲物用のグラスやカップに照明効果を与えるものであり、各種陳列宝飾商品や室内装飾品、結婚披露宴や各種パーティにおけるテーブル上のガラス花器などの装飾品に照明効果を付与し、美的演出効果を目的とした装飾装置ではなく、立体的な装飾体照明器具としての機能は不十分であった。
本発明は、上部に直接載置される各種宝飾品や室内装飾品に対する照明効果はもちろん、より立体的な美的演出効果をもたらす装飾体照明器具およびそれを用いた装飾体照明装置の提供を課題とする。
【課題を解決するための手段】
【０００７】
請求項１に記載の装飾体照明器具は、
上方を照明する上ＬＥＤ照明部材４と、
下方を照明する下ＬＥＤ照明部材５と、を
連結部材６を介して背中あわせに上下に積層したことを特徴とする。
請求項２に記載の装飾体照明器具は、請求項１において、
前記装飾体照明器具は、上面に載置した装飾体の荷重によりＬＥＤ発光部７の発光の点滅を制御することを特徴とする。
【０００８】
請求項３に記載の装飾体照明器具は、請求項１又は２において、
前記連結部材６の下面に前記下ＬＥＤ照明部材の点滅制御ボタンの頭部を挿入する凹部が設けられ、前記連結部材の上面には前記上ＬＥＤ照明部材の点滅制御ボタンの頭部を挿入する凹部が設けられていることを特徴とする。
請求項４に記載の装飾体照明器具は、請求項１〜３のいずれかにおいて、
前記下ＬＥＤ照明部材の光源が、紫光源又はブラックライトであることを特徴とする。
【０００９】
請求項５に記載の装飾体照明装置は、請求項１〜４のいずれかに記載の装飾体照明器具の下方に透明ボックスを設置し、
前記透明ボックスの上方から透明ボックス内部を照明するようにしたことを特徴とする。
【発明の効果】
【００１０】
本発明の装飾体照明器具によれば、下ＬＥＤ照明部材と上ＬＥＤ照明部材と連結部材を介して背中合わせに組み立てられてた構成となっており、簡単な構造であり、装飾体照明器具に装飾体を載置することにより、上下方向への照明を簡便にしている。
また、本発明の装飾体照明装置によれば、透明なプラスチックまたはガラスからなる中空の透明ボックス内部の装飾体には上部から照明をし、上部に載置された装飾体には下部から照明をすることができるから、立体的な美的演出効果をもたらすことが出来る。
【発明を実施するための最良の形態】
【００１１】
以下、図面を参照しながら本発明の装飾体照明器具についてその一実施形態を詳しく説明する。
【００１２】
（実施の形態１）
図１は、本発明の実施の形態１の装飾体照明器具を示す概略縦断面図である。
図１において、装飾体照明器具３は、合成樹脂などで成形され、上部材１ａ、底部材１ｂ、周壁部材１ｃで囲まれた外観が扁平な円筒状の中空体である。
次に、装飾体照明器具３の内部構造について説明する。
装飾体照明器具３の内部には、上ＬＥＤ照明部材４および下ＬＥＤ照明部材５とが、連結部材６を介して背中合わせに上下に積層されている。
上ＬＥＤ照明部材４および下ＬＥＤ照明部材５には、それぞれＬＥＤ発光部７が配置されており、上ＬＥＤ照明部材４は上部材１ａから上方を照明するように配置され、下ＬＥＤ照明部材５は底部材１ｂから下方を照明するように配置されている。
なお、上部材１ａや底部材１ｂのＬＥＤ発光部７を配置された部分は、アクリル板などの透明部材で構成されていることが望ましいが、透明部材で構成されていない場合は、貫通孔などを設けＬＥＤ発光部７が外部に露出されるようにする。
【００１３】
図１に示すように、装飾体照明器具３の内部には、装飾体照明器具の電源である電池１０が下ＬＥＤ照明部材５に配置され、電池１０の負極端子１０ａは、上下のＬＥＤ発光部７に直接、リード線８により結線されている。
一方、正極端子１０ｂは、接点板１４、点滅制御ボタン１２端部の接点部１３、点滅制御ボタン１２と一体になったバネ板１１を経由して、ＬＥＤ発光部７に結線されている。
ＬＥＤ発光部７の点滅スイッチである点滅制御ボタン１２は、バネ板１１によって常時上方向に付勢され、連結部材に設けられたスイッチ孔６ａから上ＬＥＤ照明部材４の中間底板１ｄからその頭部を覗かせているが、上ＬＥＤ照明部材４上に装飾体Ａを載置すると、上ＬＥＤ照明部材４の底部に設けられた中間底板１ｄによって押されて下方へ移動し、点滅制御ボタン１２の接点部１３が接点板１４と接触して回路が導通し上下のＬＥＤ発光部７が点灯する。
反対に、装飾体Ａを載置しない状態では、点滅制御ボタン１２はバネ板１１によって上方に付勢され、接点部１３が接点板１４から離反し回路は遮断され上下のＬＥＤ発光部７は点灯しない。
【００１４】
このような、装飾体Ａの載置により、上ＬＥＤ照明部材４を沈みこませ、底部に設けられた中間底板１ｄにより、点滅制御ボタン１２の頭部を押さえ下方に押し込むために、上ＬＥＤ照明部材４の周壁部材１ｃの下端には、ゴムなどの弾性部材を素材とする環状部材１ｅを冠着し、上ＬＥＤ照明部材４の周壁部材１ｃの上下移動を容易にさせることが望ましい。
上ＬＥＤ照明部材４の上部に載置される装飾体Ａが、ガラス花器などの透明体である場合、上ＬＥＤ照明部材４に設けられたＬＥＤ発光部によってその底面から照明が当てられ、ガラス花器のカット角度に応じた光輝反射が外部に美しく放射される。
【００１５】
本発明の装飾体照明器具は、下ＬＥＤ照明部材５を備えているので、装飾体照明器具３を上方へ持ち上げることにより、装飾体照明器具３の下方を同時に照明することができる。
例えば、本発明の装飾体照明器具３の下方に中空の透明又は半透明ボックスを設置した場合、ボックス１の上方からボックス１内部を照明することができる。
なお、上下ＬＥＤ照明部材に使用される光源として、通常の高輝度発光ＬＥＤを複数個をユニットとして面状発光させてもよい。
また、中空の透明ボックスの代わりに、装飾体照明器具３を上部に支持する支持体であってもよい。例えば、網状のボックスや天井から吊り降ろされたロープなどに本発明の装飾体照明器具を取り付けて用いることもできる。
【００１６】
また、適宜集光あるいは拡散レンズによりＬＥＤ発光の照射効果に変化をもたせることもできる。また、ＬＥＤの光源として、短波長である紫光源や紫外線に近い波長域の光である所謂ブラックライトを使用することにより、被照明物品の蛍光発光を助長し美的演出を多様化することが出来る。
ブラックライトとは、主に３６０ｎｍ前後の紫外放射を出し、可視放射をほとんど出さないライトをいい、大きく分けて蛍光ランプ式、水銀ランプ式、ＬＥＤ式の３つがあが、本発明においては、小型軽量などの観点からＬＥＤ式を用いることが望ましい。
中空の透明ボックスを矩形の透明なプラスチック板で組み立て、その上部に載置する下ＬＥＤ照明部材５のＬＥＤ発光部にブラックライトを用いると、ブラックライトの美的演出効果は大きい。その理由は、プラスチック板端面は表面仕上げが側面とは異なることにより、プラスチック板素材内の反射屈折角に変化をもたらされ接合端面面が線状に浮き出し輝いて見えるなどの現象が生ずるからである。
【００１７】
（実施の形態２）
図２は、本発明の実施の形態２の装飾体照明器具を示す概略縦断面図である。
図２に示すように、上ＬＥＤ照明部材４と下ＬＥＤ照明部材５の夫々に、電池を配設してＬＥＤの点滅制御ボタンを別個に設けてある。
上ＬＥＤ照明部材４では、点滅制御ボタン１２が装飾体Ａの荷重により、上方に押し込まれ接点で導通する。また、下ＬＥＤ照明部材５でも同じく点滅制御ボタン１２が装飾体Ａの重力が負荷されることにより、下方に押し込まれ接点で導通する。
【００１８】
図３は、図２において、装飾体照明装置に装飾体を載置しない状態で、ＬＥＤ発光部７が導通状態にない場合の説明図である。上ＬＥＤ照明部材４は、バネ板１１によって支えられ、周壁部材の下部が連結部材６の面からやや上方に浮いた状態に保たれている。
この状態では、接点部１３は、接点板１４とは離れ、ＬＥＤ発光部７への導通はない。
下ＬＥＤ照明部材５内部においても前記と同様な機構となって、ＬＥＤ発光部７への導通はない。
【００１９】
（実施の形態３）
図４は、本発明の実施の形態３の装飾体照明器具を示す概略縦断面図である。
図４に示すように、実施の形態３の装飾体照明器具３は、上下ＬＥＤ照明部材４，５の構造を同じにしてあり、装飾体Ａの荷重により点滅制御ボタン１２が押し込まれるとともに、ＬＥＤ発光部７と電池１０が導通する。
連結部材６の上下面は、夫々、上下部のＬＥＤ照明ユニットの点滅制御ボタン１２の頭部を押し込む作用をしている。
なお、この連結部材６の上下面には、点滅制御ボタン１２が接触する半径方向の対象位置に、凹部６ａ、６ｂが設けられている。
【００２０】
図５は、実施の形態３の装飾体照明器具の作用を示す概略縦断面図である。
図５に示すように、連結部材６を水平回転させ点滅制御ボタン１２の位置に凹部６ａ、６ｂを合致させ、点滅制御ボタン１２の頭部を凹部６ａ、６ｂ内に落とし込んだ状態では、装飾体Ａを載置しても、連結部材６によって点滅制御ボタン１２を押し込む作用が働かないので、ＬＥＤを発光をさせることはできない。
このように、必要に応じて連結部材６を回転させて凹部６ａ、６ｂの位置を適宜設定し、装飾体を載置した状態でもＬＥＤ発光を中断させ、電池の消耗を調節することが出来る。
【００２１】
図６は、実施の形態３の装飾体照明器具の、上ＬＥＤ照明部材４、凹部を有する連結部材６、および下ＬＥＤ照明部材５を上下に分離して相対的位置関係を説明した分解組立図である。
本実施の形態３の装飾体照明器具では、上ＬＥＤ照明部材４面のＬＥＤ発光部７を上部材１ａの周縁部に複数個配置している。
【００２２】
図７は本発明の装飾体照明器具を用いた装飾体照明装置の使用状態を示す概略斜視図である。
本発明の装飾体照明装置は、装飾体照明器具３を透明ボックス１の上部に設置し、装飾体Ａを上ＬＥＤ照明部材４の上部に載置して装飾体Ａの底から照明をするとともに、透明ボックス内に設置した装飾体Ｂに対し下ＬＥＤ照明部材５によって照明をする。
【００２３】
図８は、本発明の装飾体照明装置における透明ボックスの実施の形態を示す概略斜視図である。図８（ａ）は透明ボックス１が立方体状の場合を示し、図８（ｂ）は透明ボックス１が半球体状のもの、図８（ｃ）は透明ボックス１が台形状の場合を示している。
透明ボックス１の内部に載置される装飾体Ｂが透明ボックス１から透けて見えるように、透明ボックス１の素材は透明なプラスチックまたは透明なガラス製を用いることが好ましい。
なお、この透明ボックス１の形状は、上記形状に限定されるものではなく、内部に所望の装飾体を載置出来るようなものであれば種々の形状とすることが出来る。
また、図８（ｂ）に示すように透明ボックス１の底面部に、透明ボックス１と分離できるように底面板２を設けて装飾体を底面板２の上に載置することもできる。
【００２４】
下ＬＥＤ照明部材５により、透明ボックス１の内部に向けて、単色、あるいは多色の照明をすることで、内部の装飾体Ｂに美的演出をすることができる。
さらに、本発明の装飾体照明装置は、その上部にも装飾体Ａを載置できるから、同時に上下方向へのＬＥＤ照明によって立体的な美的演出効果をもたらすことができる。
【産業上の利用可能性】
【００２５】
本発明の装飾体照明器具およびそれを用いた装飾体照明装置は、上下方向に発光する簡単な構造であり、ディスプレイのため各種宝飾品や室内装飾品の照明効果を付与できるものである。
また、結婚式披露宴や各種パーティのテーブル上における花瓶などの装飾体の美的演出効果をもたらすことができる。
【図面の簡単な説明】
【００２６】
【図１】本発明の実施の形態１の装飾体照明器具を示す概略縦断面図である。
【図２】本発明の実施の形態２の装飾体照明器具を示す概略縦断面図である。
【図３】図２において、装飾体照明装置に装飾体を載置しない状態で、ＬＥＤ発光部が導通状態にない場合の説明図である。
【図４】本発明の実施の形態３の装飾体照明器具を示す概略縦断面図である。
【図５】実施の形態３の装飾体照明器具の作用を示す概略縦断面図である。
【図６】実施の形態３の装飾体照明器具の、上ＬＥＤ照明部材、連結部材、および下ＬＥＤ照明部材を上下に分離して相対的位置関係を説明した分解組立図である。
【図７】本発明の装飾体照明器具を用いた装飾体照明装置の使用状態を示す概略斜視図である。
【図８】本発明の装飾体照明装置における透明ボックスの実施の形態を示す概略斜視図である。
【符号の説明】
【００２７】
１      ・・・  透明ボックス
２      ・・・  底面板
３      ・・・  装飾体照明器具
４      ・・・  上ＬＥＤ照明部材
５      ・・・  下ＬＥＤ照明部材
６      ・・・  連結部材
６ａ、６ｂ  ・・・凹部
７      ・・・  ＬＥＤ発光部
８      ・・・  リード線
１０    ・・・  電池
１０ａ  ・・・  負極端子
１０ｂ  ・・・  正極端子
１１    ・・・  バネ板
１２    ・・・  点滅制御ボタン
１３    ・・・  接点部
１４    ・・・  接点板
【図１】
2006244881.tif 000003
【図２】
2006244881.tif 000004
【図３】
2006244881.tif 000005
【図４】
2006244881.tif 000006
【図５】
2006244881.tif 000007
【図６】
2006244881.tif 000008
【図７】
2006244881.tif 000009
【図８】
2006244881.tif 000010